(57)【要約】      （修正有）【課題】微少量の液体を用いた計測を行う場合における当該液体の導入を効率よく速やかに行うことが可能な技術を提供すること。【解決手段】反応場を有するデバイスは、一面側に凹部(12)を有する基板と、貫通孔(16)を有し、当該貫通孔(16)と前記凹部とを重畳させて前記基板の前記一面上に設けられた被覆体(14)と、を備え、前記被覆体が平面視において前記貫通孔の内側へ向けて突出する複数の突起部(14a)を有する。滴下された液体は表面エネルギーの高い突起部(14a)に集まりやすく、前記突起部の相互間の隙間から凹部(12)へ進入するため、微少量の液体を効率よく速やかに導入することが可能となる。【選択図】図２
2010175460.tif 000002
【特許請求の範囲】
【請求項１】
一面側に凹部を有する基板と、
貫通孔を有する被覆体と、
を備え、
平面視において、前記被覆体は前記貫通孔に、前記貫通孔の内側へ向けて突出する複数の突起部を有し、
前記被覆体は、前記基板の一面側に、前記貫通孔と前記凹部が重畳するように設けられている、反応場を有するデバイス。
【請求項２】
前記複数の突起部のそれぞれが角部を有する、請求項１に記載の反応場を有するデバイス。
【請求項３】
前記角部が鋭角である、請求項２に記載の反応場を有するデバイス。
【請求項４】
前記凹部の内壁面の親液性を前記被覆体の表面の親液性よりも高くした、請求項１乃至３の何れか１項に記載の反応場を有するデバイス。
【請求項５】
前記凹部の前記内壁面が親液性に改質され、かつ、前記被覆体の表面が撥液性に改質された、請求項４に記載の反応場を有するデバイス。
【請求項６】
前記被覆体の前記貫通孔が、前記凹部の平面視における略中央に合わせて配置された、請求項１乃至５の何れか１項に記載の反応場を有するデバイス。
【請求項７】
前記凹部が略半球状である、請求項１乃至６の何れか１項に記載の反応場を有するデバイス。
【請求項８】
前記基板が透明な基板である、請求項１乃至７の何れか１項に記載の反応場を有するデバイス。
【請求項９】
前記被覆体の前記基板と向き合う面に設けられた反射膜、を更に含む、請求項１乃至８の何れか１項に記載の反応場を有するデバイス。
【請求項１０】
前記反射膜は、前記凹部と重畳する範囲に設けられる、請求項９に記載の反応場を有するデバイス。
【発明の詳細な説明】
【技術分野】
【０００１】
本発明は、例えば生物試料などの微量な試料に対して何らかの反応を生じさせるための場（反応場）を有するデバイス等に関する。
【背景技術】
【０００２】
従来型のＥＬＩＳＡ（Enzyme-Linked ImmunoSorbent Assay）法による抗原抗体反応検出法では２次抗体反応時に抗体に固定化された酵素反応による色素反応によって抗原検出が行われる。その際、抗体反応及び逐次起こる色素発色反応にて効率よい反応が進行することが必要条件となる。色素反応の結果は色素の吸収度を光の透過度変化によって計測する方法が一般的である（例えば、非特許文献１参照）。
【０００３】
ところが、抗原の存在量が極微量である場合における増幅率が不十分となる場合が多く、検出感度に問題を有する。一般的な検体検査では、例えば３ｍＬ（ミリリットル）の試薬と２０μＬ（マイクロリットル）の検体とを混合させて、酵素反応に基づく色素反応を誘起させ、反応によって変化する試薬液の吸光度をモニターする。同様の方法にて、特に、非常に微量の検体サンプル（例えば、２ｎＬ（ナノリットル）〜２００ｎＬの範囲のグルコースを含む液、又はグルコースを含む全血液、血漿、血清など）を扱う場合、試薬液を同様の比率にて反応液として使用する場合、３μＬとして検体液と反応させると、液滴上の試薬液の体積が小さいため、空気中に暴露された状態にて、液体の乾燥が急速に起こる。その結果、反応完結に要する時間よりも短時間に液滴が消滅するため、反応色素の吸光度計測ができなくなる。また、微量液滴反応においても、反応を加速するために（特に、酵素反応主体の試薬系では）温度を約３７℃に設定することが要求されるが、微量計測用の反応液の設定条件等が大きな技術課題となっていた。このため、液体を効率よく速やかに反応場へ導入する技術が求められていた。なお、このような技術的課題は、生体試料に関する計測に限られるものではなく、同様な計測を行う種々の場面においても共通するものである。
【先行技術文献】
【非特許文献】
【０００４】
【非特許文献１】浦山修  他著，「臨床化学検査学」，第２版，医歯薬出版株式会社，２００６年１月
【発明の概要】
【発明が解決しようとする課題】
【０００５】
本発明に係る具体的態様は、微少量の液体を用いた計測を行う場合における当該液体の導入を効率よく速やかに行うことが可能な技術を提供することを目的の一つとする。
【課題を解決するための手段】
【０００６】
本発明に係る反応場を有するデバイスは、一面側に凹部を有する基板と、貫通孔を有する被覆体と、を備え、平面視において、前記被覆体は前記貫通孔に、前記貫通孔の内側へ向けて突出する複数の突起部を有し、前記被覆体は、前記基板の一面側に、前記貫通孔と前記凹部が重畳するように設けられている、反応場を有するデバイスである。
【０００７】
かかる構成によれば、滴下された液体は表面エネルギーの高い突起部に集まりやすく、この集まった液体は各突起部の相互間の隙間から凹部へ進入するため、微少量の液体を凹部内へ効率よく速やかに導入することが可能となる。この効果は、各突起部の相互間の隙間を毛細管力が生じる程度に狭めた場合にはより顕著になる。
【０００８】
好ましくは、前記複数の突起部のそれぞれが角部を有する。更に好ましくは、前記角部が鋭角である。
【０００９】
各突起部が角部、すなわち尖って突き出た部分を有するようにすることで、凹部へ液体を引き込む効果がより強調される。この効果は、角部を鋭角にすることで更に高まる。
【００１０】
好ましくは、前記凹部を画定する内壁面が前記被覆体の表面の親液性よりも高くされる。
【００１１】
凹部の内壁表面と膜の表面のそれぞれを表面改質することによって表面エネルギーの差を設けているので、凹部上に膜を設けたことによって試料液の導入口が狭小になるにも関わらず、試料液の導入が困難となることがない。
【００１２】
好ましくは、前記凹部の前記内壁面が親液性に改質され、かつ、前記被覆体の表面が撥液性に改質される。
【００１３】
それにより、凹部の内壁表面と膜の表面との表面エネルギーの差をより大きく確保しやすい。
【００１４】
好ましくは、前記貫通孔が前記凹部の平面視における略中央に合わせて配置される。
【００１５】
それにより、膜の機械的強度を保ちやすい。また、膜による試料液の蒸発抑制効果が均一になる効果が期待される。
【００１６】
好ましくは、前記凹部の形状が略半球状である。
【００１７】
それにより、反応場としての凹部内における試料液の反応がより均一になることが期待される。
【００１８】
好ましくは、前記基板が透明な基板である。
【００１９】
それにより、凹部内に導入された試料液に光を照射して種々の計測を行うことが容易になる。
【００２０】
また、上記デバイスは前記被覆体の前記基板と向き合う面に設けられた反射膜を更に含んで構成されることも好ましい。この反射膜は、例えば前記凹部と重畳する範囲に設けられることがより好ましい。
【００２１】
それにより、基板が透明な場合には当該基板の裏面側から光を入射させ、この光を金属層によって反射させて得られた反射光を基板の裏面側で検出することができる。従って、光学的な計測が容易になる。
【図面の簡単な説明】
【００２２】
【図１】一実施形態の反応場を有するデバイスの構造を示す模式断面図である。
【図２】凹部と被覆体の模式的な平面図を示す図である。
【図３】突起部の形状について、他の態様を示した図である。
【図４】図１に示すデバイスへの試料の導入過程を説明するための模式断面図である。
【図５】他の態様のデバイスの構成を示す模式的な斜視図である。
【図６】デバイスの製造方法の一例を説明するための工程断面図である。
【図７】デバイスの製造方法の一例を説明するための工程断面図である。
【図８】変形実施例に係るデバイスの構成とその使用態様について説明する模式的な断面図である。
【発明を実施するための形態】
【００２３】
以下、本発明の実施の形態について図面を参照しながら説明する。
【００２４】
図１は、一実施形態の反応場を有するデバイス（以下、単に「デバイス」という）の構造を示す模式断面図である。図１に示すデバイス１は、一面側に凹部１２を有する基板１０と、この基板１０の一面上に設けられた被覆体１４と、を含んで構成されている。
【００２５】
基板１０は、例えば、プラスチック基板、石英ガラス基板などの透明基板である。基板１０として透明基板を用いることにより、詳細を後述する光学的な計測に都合がよい。基板１０の厚さは、例えば０．０５ｍｍ〜２．５ｍｍ程度である。なお、光学的な計測が不要である場合等においては、基板１０は不透明なものであってもよく、例えばシリコン基板などの半導体基板を基板１０として用いることもできる。
【００２６】
凹部１２は、上述したように基板１０の一面側に設けられている。この凹部１２は、例えばフォトリソグラフィ技術及びエッチング技術を用いて形成される。本実施形態においては、凹部１２は略半球状に形成されている。凹部１２の径Ｄ１は、例えば０．１ｍｍ〜５．０ｍｍ程度である。この凹部１２が、試料（試薬溶液）を導入する微小な反応場として機能する。
【００２７】
被覆体１４は、凹部１２を覆うようにして基板１０の一面上に設けられている。この被覆体１４は、例えばプラスチック基板やガラス基板などの小片からなる。また、被覆体１４は、貫通孔１６を有しており、この貫通孔１６と凹部１２とが重畳した状態となるように設けられている。本実施形態における貫通孔１６は、その径Ｄ２が凹部１２の径Ｄ１よりも小さい。貫通孔１６の径Ｄ２は、例えば１０μｍ程度である。
【００２８】
図２は、凹部１２と被覆体１４の模式的な平面図を示す図である。図２に示すように、被覆体１４は、凹部１２の開口部分よりも広い面積を有しており、凹部１２を覆って設けられている。図示の例では、被覆体１４は矩形状であるが、形状はこれに限定されない。また、本実施形態においては、図２に示すように貫通孔１６が凹部１２の平面視における略中央に合わせて配置されている。
【００２９】
ここで、図２を参照しながら被覆体１４と貫通孔１６の形状について詳細に説明する。図２に示したように、被覆体１４は、平面視において貫通孔１６の内側へ向けて突出する複数の突起部１４ａを有する。図２に示す一例の被覆体１４は８個の突起部１４ａを有する。なお、図面が煩雑になるのを回避するために図２では１つの突起部１４ａにのみ符号を付している。図２に示す一例の各突起部１４ａは、それぞれ、角部（尖って突き出た部分）を有する。各突起部１４ａは、例えば５０μｍ程度のサイズである。また、各突起部１４ａの相互間ピッチは例えば１００μｍ程度である。
【００３０】
図３は、突起部の形状について、他の態様を示した図である。図３（Ａ）は４個の突起部、図３（Ｂ）は５個の突起部、図３（Ｃ）は１６個の突起部、図３（Ｄ）及び図３（Ｅ）は更に多数の突起部を有する被覆体１４の構成例を示している。いずれの突起部も角部を有している。更に、図３（Ｃ）〜図３（Ｅ）に示す各突起部は、それぞれ角部が鋭角に形成されている。換言すれば、本実施形態における被覆体１４は、貫通孔１６の平面視における形状がスターバスト形状に形成されている。なお、各突起部が角部を有することやこれらの角部が鋭角であることはそれぞれ好ましい態様であるが、必須条件ではない。各突起部は、角部を有しない形状であってもよい。貫通孔１６の径Ｄ２（図１参照）は、例えば１０μｍ程度である。ここで、本実施形態における貫通孔１６の径Ｄ２とは、各突起部１４ａの先端を通る円の円周に対する径とする。
【００３１】
次に、凹部１２と被覆体１４の各々の表面の特性について説明する。凹部１２の内壁の表面には、この凹部１２に導入されるべき試料（試薬溶液）の極性に一致した表面処理が行われる。具体的には、親液性（親水性）反応試薬および検体導入の場合には、凹部１２の内壁の表面には親液処理（親水処理）が行われる。すなわち、凹部１２を画定する内壁の表面が被覆体１４の表面よりも相対的に親液性が高くなるように、凹部１２の内壁の表面が改質されるということである。本実施形態では、凹部１２の内壁の表面が親液性に改質され、かつ、被覆体１４の表面が撥液性に改質されている。親液化処理は、例えばＰＥＧ（ポリエチレングリコール）系分子膜剤を用いることによって実現できる。詳細には、アミノ系シラン化反応剤で凹部１２の内壁表面を反応させ、その後、ＮＨＳエステルにて末端機能化されたＰＥＧ系反応剤にて反応させる。それにより、凹部１２の内壁の表面の親液性が高くなる。また、撥液化処理は、例えば、フッ素系シラン化剤を用いて上述した被覆体１４の表面を改質することによって実現できる。
【００３２】
図４は、図１に示すデバイスへの試料の導入過程を説明するための模式断面図である。図示のように、基板１０上の被覆体１４に設けられた貫通孔１６を介して凹部１２に試料液２０を導入する。例えば、微少量の試料液２０を複数回に分けて貫通孔１６に滴下する。微少量の試料液２０の滴下には、例えば液滴吐出法（インクジェット法）が適している。微少量とは、例えば液滴の径が貫通孔１６の径よりも小さいことをいう。このとき、図示のように試料液２０を貫通孔１６の中心ｍからずらした位置に滴下することがより望ましい。例えば、図示のように貫通孔１６のエッジ部分に試料液２０を滴下するとよい。貫通孔１６の外縁に沿って配置された各突起部１４ａの効果により試料液２０が表面エネルギーの高い突起部１４ａに集まりやすくなる。そしてこの集まった液体は各突起部１４ａの相互間の隙間から凹部１２へ進入するため、微少量の液体を凹部１２内へ効率よく速やかに導入することが可能となる。この効果は、各突起部１４ａの相互間の隙間を毛細管力が生じる程度に狭めた場合にはより顕著になる。更に本実施形態では、被覆体１４の表面が撥液性であるため、貫通孔１６のエッジ部分に付着した試料液２０はすばやく被覆体１４の表面から、内壁表面が親液性である凹部１２へ入り込む。このように、凹部１２と被覆体１４の各々の表面エネルギーの差を利用することにより、微量な試料液２０をより確実に凹部１２へ導入することができる。また、凹部１２内へ導入された試料液に空気が含まれている場合には、基板１０を微振動させることによりその空気を除去することが可能である。
【００３３】
図５は、他の態様のデバイスの構成を示す模式的な斜視図である。上述したデバイス１は１つの凹部１２、被覆体１４及び貫通孔１６を有していたのに対して、図５に示すデバイス１ａは複数の凹部１２と、各凹部１２に対応して設けられた複数の貫通孔１６を有する被覆体１１４と、を備える。すなわち、図４に示すデバイス１ａでは、各凹部１２を覆う被覆体が１つに共通化されている。なお、各凹部１２および各貫通孔１６に対応して個別に被覆体を設けてもよい。また、図５に示す例のデバイス１ａでは、各凹部１２および各貫通孔１６がマトリクス状に配列されているが、配列状態はこれに限定されない。
【００３４】
次に、本実施形態に係るデバイス１の製造方法について好適な例を説明する。なお、デバイス１ａについても同様に製造できる。
【００３５】
図６は、デバイス１の製造方法の一例を説明するための工程断面図である。概略的に説明すると、本実施形態に係るデバイス１は、図６（Ａ）に示すように、凹部１２を有する基板１０と、貫通孔１６を有する被覆体１４と、をそれぞれ個別に形成し、その後図６（Ｂ）に示すように、基板１０と被覆体１４とを貼り合わせることによって製造することができる。以下、いくつかの具体的な態様について説明する。
【００３６】
具体的態様の一つとして樹脂（プラスチック）の射出成形を用いる態様が挙げられる。この場合には、例えば汎用的な樹脂の一つであるポリスチレンを射出成形することにより、図６（Ａ）に示したような、凹部１２を有する基板１０、貫通孔１６を有する被覆体１４のそれぞれが形成され、併せて各突起部１４ａも形成される。次に、図６（Ｂ）に示したように基板１０と被覆体１４とを貼り合わせる。例えば、基板１０の一面上にスピンコート等の方法によってキシレン等の溶剤を均一に塗布する（例えば膜厚１μｍ程度）。基板１０の一面が溶解したら、被覆体１４を基板１０上に配置し、加圧する。それにより、基板１０と被覆体１４とが接合（融着）する。溶剤のキシレン等は貫通孔１６から蒸発するので、凹部１２内に溶剤が残留することはない。なお、樹脂はポリスチレンに限定されず、ポリカーボネート、ポリメタクリル酸メチル、ＳＮＰ、ＴＰＸ等も使用可能である。また、基板１０と被覆体１４とを貼り合わせる方法としては、上記のほか、接着剤を使う方法、摩擦熱を使う方法、超音波融着による方法、振動融着による方法など種々の方法を適宜採用し得る。
【００３７】
また、具体的態様の他の一つとしてガラス基板を用いる態様が挙げられる。この場合には、ガラス基板に対してウェットエッチングを行うことにより、凹部１２を有する基板１０を形成する（図６（Ａ））。また、他のガラス基板に対してウェットエッチングを行うことにより、貫通孔１６を有し、当該貫通孔１６に各突起部１４ａが設けられた被覆体１４を形成する（図６（Ａ））。エッチング溶液としては、例えば一水素二フッ化アンモニウム（例えば、濃度５％程度）を用いることができる。このようなエッチング溶液を用いて等方性エッチングを行うことにより、ガラス基板に半球状の凹部１２を形成し、また、他のガラス基板に突起部１４ａを有する貫通孔１６を形成することができる。エッチング速度は、例えば約５０ｎｍ／分である。次に、基板１０と被覆体１４とを貼り合わせる（図６（Ｂ））。それぞれガラス基板からなる基板１０と被覆体１４との貼り合わせは、例えば、熱と圧力を加えることによる直接接合によって行うことができる。また、いわゆる水ガラス（ケイ酸ナトリウムの濃度の高い水溶液）などの接着剤を用いて基板１０と被覆体１４とを貼り合わせてもよい。
【００３８】
また、具体的態様の他の一つとしてガラス基板と半導体基板（シリコン基板）とを組み合わせて用いる態様が挙げられる。この場合には、凹部１２を有する基板１０については、上記と同様にガラス基板に対してウェットエッチングを行うことによって形成する（図６（Ａ））。また、貫通孔１６を有する被覆体１４については、シリコン基板等の半導体基板をエッチングすることによって形成する（図６（Ａ））。その後、ガラス基板からなる基板１０と半導体基板からなる被覆体１４とを貼り合わせる（図６（Ｂ））。ここでは、例えば陽極接合によって基板１０と被覆体１４とを貼り合わせることができる。
【００３９】
図７は、デバイス１の製造方法の他の一例を説明するための工程断面図である。以下、この態様について詳細に説明する。
【００４０】
図７（Ａ）に示すように、ガラス基板に対してエッチングを行うことにより、凹部１２を有する基板１０を形成する。具体的な条件は上記と同様である。次いで、図７（Ｂ）に示すように、基板１０の凹部１２に樹脂等からなる犠牲層（犠牲材）２２を埋設する。このとき、図示のように基板１０の一面が平坦となるように犠牲層２２を形成する。
【００４１】
次に、図７（Ｃ）に示すように、基板１０の一面上に樹脂等からなる層２４を形成する。層２４の形成は、例えばスピンコート法によって行うことができる。次いで、この層２４に対してエッチングを行うことにより、不要部分を除去する。これにより、貫通孔１６を有し、当該貫通孔に各突起部１４ａが設けられた被覆体１４が基板１０の一面上に形成される（図７（Ｄ））。
【００４２】
次に、プラズマエッチング等の方法によって、基板１０の凹部１２内に埋設されていた犠牲層２２を除去する。それにより、図７（Ｅ）に示すように、本実施形態に係るデバイス１が完成する。
【００４３】
以上のような本実施形態によれば、液体が表面エネルギーの高い突起部１４ａに集まりやすく、この集まった液体は各突起部１４ａの相互間の隙間から凹部１２へ進入するため、微少量の液体を凹部１２内へ効率よく速やかに導入することが可能となる。この効果は、各突起部１４ａの相互間の隙間を毛細管力が生じる程度に狭めた場合にはより顕著になる。
【００４４】
また、凹部１２に重畳して設けられた被覆体１４により、凹部１２の開口部分がある程度塞がれた状態となるので、凹部１２による反応場の体積を確保しつつ、この凹部１２に導入される試料２０の蒸発を抑制することができる。
【００４５】
また、凹部１２の内壁表面と被覆体１４の表面のそれぞれを表面改質することによって表面エネルギーの差を設けているので、凹部１２上に被覆体１４を設けたことによって試料液の導入口が狭小になるにも関わらず、試料液の導入が困難となることがない。
【００４６】
次に、変形実施の一態様について説明する。以下に説明する態様は、試料液に対して光学的な手法による計測を行うのに特に適している。
【００４７】
図８は、変形実施例に係るデバイスの構成とその使用態様について説明する模式的な断面図である。図８に示すデバイス１ｂの基本的な構成は上記した実施形態に係るデバイス１と同様である（図１等参照）。両者に共通する構成には同符号を付した上で当該構成の詳細な説明は省略する。
【００４８】
図８に示すデバイス１ｂは、被覆体１４の裏面（凹部１２と向き合う面）に反射膜１５が設けられている。この反射膜１５は、凹部１２の少なくとも一部と重畳して配置される。また、反射膜１５は、被覆体１４の裏面であって、被覆体１４と基板１０との貼り合わせに支障がない範囲に形成される。この反射膜１５は、例えば金などの金属からなる膜である。このような反射膜１５を有するデバイス１ｂの製造方法は基本的に上述した実施形態（図６参照）と同様である。具体的には、被覆体１４となるべき基板等の一面の所定位置に金属膜を形成し、これを適宜エッチングする等によって整形することにより、予め反射膜１５を形成しておけばよい。
【００４９】
次にデバイス１ｂの使用態様の一例について説明する。図８に示すように、基板１０の裏面側から、凹部１２内の試料液２０に向けて光を入射させる。図示のように、入射光が基板１０の裏面に対して斜めに入射し、被覆体１４の反射膜１５によって反射する。この反射光は、図示のようにＣＣＤ等からなる測定光収集３２に集まる。この測定光収集板３２に集まった光（反射光）の強度等を光検出装置３０によって検出する。それにより、凹部１２内の試料液２０の変化を計測できる。例えば、酵素反応を利用した色素反応をモニターすることができる。このとき、複数の光源を用意してそれぞれから光を入射させることにより、検出情報が増幅されるので、高感度の検出が可能となる。反応性試薬としては、例えば血糖値検査試薬が使用される。この試薬中、グルコースオキシダーゼ、過酸化脱水素酵素、及び４−アミノアンチピリン（色素前駆体）が存在し、血清中に含まれる血糖（グルコース）と反応して発色する。この試薬及び血清を、例えば上記した必要量にて使用して凹部１２内に導入することにより、高感度検出が可能となる。
【００５０】
なお、本発明は上述した実施形態の内容に限定されるものではなく、本発明の要旨の範囲内において種々に変形して実施をすることが可能である。例えば、上述した実施形態においては、本発明に係る反応場を有するデバイスの典型的な適用例として生体試料を扱うためのセンサー（いわゆるバイオセンサー）を例示していたが、本発明の適用範囲はこれに限定されるものではない。
【００５１】
また、上述した説明においては、貫通孔の周囲に配置された複数の突起部を有する被覆体に対して、更に表面改質を組み合わせた実施形態を例示していたが、必ずしも表面改質を組み合わせなくともよい。
【符号の説明】
【００５２】
１…反応場を有するデバイス、１０…基板、１２…凹部、１４…被覆体、１４ａ…突起部、１５…反射膜、１６…貫通孔、２０…試料液
【図１】
2010175460.tif 000003
【図２】
2010175460.tif 000004
【図３】
2010175460.tif 000005
【図４】
2010175460.tif 000006
【図５】
2010175460.tif 000007
【図６】
2010175460.tif 000008
【図７】
2010175460.tif 000009
【図８】
2010175460.tif 000010